(57)【要約】      （修正有）【課題】  読取り精度の高い光ピックアップ装置を提供することである。【解決手段】対物レンズを基部６に対して変位駆動する駆動源７とを有するレンズユニット８の基部６の３カ所を、ハウジング４に対して近接および離反する方向およびハウジング４に対して近接および離反する方向と交差する方向に個別位置調整可能に連結する連結手段によって、ハウジング４に基部６の３カ所を連結する。【選択図】図１
2007004848.tif 000002
【特許請求の範囲】
【請求項１】
ハウジングと、
対物レンズ、対物レンズを変位可能に保持する基部および対物レンズを基部に対して変位駆動する駆動源とを有するレンズユニットと、
レンズユニットの基部の３カ所を、ハウジングに対して近接および離反する方向へ、個別位置調整可能に、ハウジングにそれぞれ連結する連結手段とを含むことを特徴とする光ピックアップ装置。
【請求項２】
前記連結手段は、前記レンズユニットの基部の３カ所を、ハウジングに対して近接および離反する方向と交差する方向へ、個別に位置調整可能に連結することを特徴とする請求項１に記載の光ピックアップ装置。
【請求項３】
ハウジングおよびレンズユニットの基部のいずれか一方は、挿通孔がそれぞれ形成される３つの係止部を有し、
ハウジングおよびレンズユニットの基部のいずれか他方は、内ねじが刻設されるねじ孔がそれぞれ形成される３つのねじ孔部を有し、
連結手段は、
外ねじが刻設される軸部と、軸部の軸線方向一端部に設けられ軸部よりも外径の大きい頭部とを有する３つのねじ部材と、
ハウジングおよびレンズユニットの基部に、互いに離反する方向のばね力を与えるばね部材とを備え、
各ねじ部材は、各挿通孔に個別にそれぞれ挿通されて、頭部が係止部にそれぞれ係止され、軸部がねじ孔部に個別に螺着されることを特徴とする請求項１に記載の光ピックアップ装置。
【請求項４】
前記各挿通孔の内径は、各ねじ部材の山径よりも大きく、各ねじ部材は、各挿通孔に範囲方向へ変位可能に緩やかに挿通されることを特徴とする請求項３に記載の光ピックアップ装置。
【請求項５】
各ねじ部材の頭部と各係止部との間に介在されるワッシャを、さらに含み、
前記ワッシャには、各ねじ部材の頭部および各係止部のいずれか一方に対向する表面部に、外表面が曲面状の凸部が形成されることを特徴とする請求項４に記載の光ピックアップ装置。
【請求項６】
前記各ねじ部材は、少なくとも頭部が、合成樹脂によって形成されることを特徴とする請求項４または５に記載の光ピックアップ装置。
【請求項７】
レンズユニットの基部がハウジングに対して位置決めされた状態で、レンズユニットの基部とハウジングとの相対変位を阻止する変位阻止手段を、さらに含むことを特徴とする請求項１〜６のいずれか１つに記載の光ピックアップ装置。
【請求項８】
前記変位阻止手段は、接着材を固化させて構成されることを特徴とする請求項７記載の光ピックアップ装置。
【請求項９】
請求項１〜８のいずれか１つに記載の光ピックアップ装置を搭載することを特徴とする情報記録再生装置。
【発明の詳細な説明】
【技術分野】
【０００１】
本発明は、光ピックアップ装置に関する。
【背景技術】
【０００２】
図６は、従来の光ピックアップ装置１０１の正面図である。光ピックアップ装置１０１は、ハウジング１０４と、対物レンズ１０５を有するレンズユニット１０２とを含んで構成される。レンズユニット１０２は、駆動源１１８と、基部１０３とを含んで構成される。基部１０３は、対物レンズ１０５を変位可能に保持する。駆動源１１８は、対物レンズ１０５を変位駆動する。光ピックアップ装置１０１は、対物レンズ１０５によって、光ビームをディスク１１７の記録面に集光する。また駆動源１１８が対物レンズ１０５を変位駆動させることによって、集光した光ビームを記録面のトラックに追従させる。光ピックアップ装置１０１は、集光した光ビームを記録面のトラックに追従することによって、ディスク１１７に記録された情報を読出し、またディスク１１７の記録面に情報を記録する。集光した光ビームをトラックに追従させて照射させるために、ハウジング１０４に対して予め定める基準の傾き角および予め定める基準位置に対物レンズ１０５を位置調整する必要がある。
【０００３】
光ピックアップ装置１０１では、接着材１０６を用いてハウジング１０４にレンズユニット１０２を保持させる構成である。光ピックアップ装置１０１では、レンズユニット１０２の基部１０３のハウジング１０４に対する傾き角を調整（以下「姿勢調整」という）する。基部１０３をハウジング１０４に近接および離反する方向（以下「フォーカス方向」という場合がある）に位置調整する。基部１０３をハウジングに対してフォーカス方向に垂直な方向に位置調整する。姿勢調整および各方向における位置調整をした状態で接着材１０６を用いてハウジング１０４にレンズユニット１０２の基部１０３を定着させる。
【０００４】
このように光ピックアップ装置１０１は、基部１０３の姿勢調整および位置調整をして、基部１０３に変位可能に保持される対物レンズ１０５の姿勢調整、フォーカス方向およびフォーカス方向に垂直な方向の位置調整が可能な構成である。したがって、ハウジング１０４に対して予め定める基準の傾き角および予め定める基準位置に対物レンズ１０５を位置調整をすることができる。
【０００５】
光ピックアップ装置１０１の構成では、ハウジング１０４にレンズユニット１０２を接着材１０６のみで保持しているので、機械的衝撃に対してレンズユニット１０６の姿勢ずれが生じる場合がある。また光ピックアップ装置１０１周囲の温度および湿度の環境変化によって、硬化した接着材１０６が膨張または収縮し、レンズユニット１０６の姿勢ずれが生じる場合がある。レンズユニット１０６の姿勢ずれが生じると、対物レンズ１０５の姿勢がずれ、光軸に対して光ビームが斜めに入射し、コマ収差が大きくなるので、光ピックアップ装置１０１の読取り精度が低下するという問題がある。
【０００６】
図７は、他の従来の光ピックアップ装置１０１Ａを示す正面図である。光ピックアップ装置１０１Ａは、前述の光ピックアップ装置１０１Ａと類似する構成であって、同一の構成には、同一の符号を付して異なる構成について説明する。光ピックアップ装置１０１Ａは、予め定める３カ所の位置に基部１０３とハウジング１０４とを連結する連結構造が設けられる。光ピックアップ装置１０１Ａは、基部１０３が３カ所の連結部１０７〜１０９でハウジング１０４に連結され、ハウジング１０４にレンズユニット１０２が位置調整されて保持される。
【０００７】
図８および図９は、光ピックアップ装置１０１Ａの連結構造を示す断面図である。基部１０３の３カ所の連結部１０７〜１０９には、それぞれ、内ねじが刻設されたねじ孔１１０〜１１２が形成される。第１連結部１０７では、ハウジング１０４を厚み方向に貫通する第１挿通孔１１３に挿通される連結ピン１１４が第１ねじ孔１１０に螺着される。連結ピン１１４の頭部１１５は、第１挿通孔１１３に嵌り込む。ハウジング１０４と連結ピン１１４の頭部１１５との間には、第１コイルばね１１６が設けられ、連結ピン１１４の頭部１１５をハウジング１０４から離反する方向に付勢する。このことによって、第１連結部１０７がハウジング１０４に近接される方向に付勢された状態で、弾発的に固定される。
【０００８】
第２連結部１０８では、ハウジング１０４に形成された第２挿通孔１１９に、軸部１２０に外ねじが刻設された第１調整ねじ部材１２１が挿通される。第１調整ねじ部材１２１は、第２ねじ孔１１１に螺着される。ハウジング１０４と基部１０３との間には、第２コイルばね１２３が設けられ、基部１０３の底部１２２をハウジング１０４から離反する方向に付勢する。
【０００９】
第３連結部１０９では、ハウジング１０４に形成された第３挿通孔１２４に、軸部１２５に外ねじが刻設された第２調整ねじ部材１２６が挿通される。第２調整ねじ部材１２６は、第２ねじ孔１１２に螺着される。ハウジング１０４と基部１０３との間には、第３コイルばね１２７が設けられ、基部１０３の底部１２２をハウジングから離反する方向に付勢する。
【００１０】
光ピックアップ装置１０１Ａでは、基部１０３の第１連結部１０７は、ハウジング１０４に近接される方向に付勢された状態で、弾発的に固定される。第１調整ねじ部材１２０および第２調整ねじ部材１２５をそれぞれ回動させることによって、第１連結部１０７を支点として、ハウジング１０４に対して基部１０３を角変位させて、基部１０３の姿勢調整することができる。
【００１１】
さらに他の従来の技術として、特許文献１にフォーカス方向下流側に凹む球面凹部が形成されたハウジングと、フォーカス方向下流側に突出する球面凸部が形成される基部を有する光ピックアップ装置が示されている。光ピックアップ装置は、基部の球面凸部のフォーカス方向下流側の球面と、ハウジングのフォーカス方向上流側の球面とが互いに接するようにして、ハウジングと基部とを連結するねじ部材を螺進および螺退させることによって、摺動させ対物レンズの姿勢調整をする。
【００１２】
さらに他の従来の技術として、特許文献２にトラッキング方向に移動可能なスライダ部材を含んで構成される光ピックアップ装置が示されている。光ピックアップ装置は、スライダ部材に傾斜可能に支持されたレンズユニットと、レンズユニットをスライダ部材に対して傾斜調整可能に連結する３本のねじ部材と、レンズユニットとスライダ部材とを押圧付勢して密接固定させるばね部材とで構成される。スライダ部材とレンズユニットとを連結するねじ部材を螺進および螺退させることによって、レンズユニットをスライダ部材と密接固定する面で摺動させ、対物レンズの姿勢調整をする。
【００１３】
さらに他の従来の技術として、特許文献３に基部とハウジングとを連結するねじを滑らかに回す目的で、頭部を略半球形状に形成したねじを用いてハウジングと基部とを連結する構成の光ピックアップ装置が示されている。またハウジングと基部とを連結するねじの頭部とハウジングとの間に略半球形状のワッシャを介在させる構成の光ピックアップ装置が示されている。
【００１４】
【特許文献１】特開平８−２６３８７０号公報
【特許文献２】特開平５−１５９３１１号公報
【特許文献３】実開平５−５０５２５号公報
【発明の開示】
【発明が解決しようとする課題】
【００１５】
光ピックアップ装置１０１Ａでは、基部１０３の第１連結部１０７を支点にして基部１０３が姿勢調整されるので、第１連結部１０７は、ハウジング１０４に対してフォーカス方向およびフォーカス方向に垂直な方向に変位することができない。したがって、基部１０３に保持される対物レンズ１０５の位置調整をすることができない。
【００１６】
対物レンズ１０５の位置調整ができないと、ハウジング１０４に対する予め定める基準位置に対物レンズ１０５の位置を調整することができないので、駆動源１１８によって、変位駆動される対物レンズ１０５によってディスク１１７の記録面に照射される光ビームを好適に集光させることができない場合がある。したがってディスク１１７の情報記録面の信号を安定して読出すことができず、光ピックアップ装置１０１Ａの読取り精度が低下するという問題がある。
【００１７】
特許文献１および特許文献２に記載の光ピックアップ装置の構成では、レンズユニットがハウジングまたはスライダ部材の球面座に密接しているので、アクチュエーター姿勢調整のみを目的とした構成となっておりフォーカス方向における中立位置調整が可能な構成ではない。したがって光ピックアップ１０１と同様に読取り精度が低下するという問題がある。
【００１８】
特許文献３に記載の光ピックアップ装置の構成では、略半球形状のワッシャを使用して、ネジを回す時の摩擦を軽減している構成であって、レンズユニットのフォーカス方向の中立位置およびＸ−Ｙ平面の位置調整が可能な構成ではない。
【００１９】
本発明の目的は、読取り精度の高い光ピックアップ装置を提供することである。
【課題を解決するための手段】
【００２０】
本発明は、ハウジングと、
対物レンズ、対物レンズを変位可能に保持する基部および対物レンズを基部に対して変位駆動する駆動源とを有するレンズユニットと、
レンズユニットの基部の３カ所を、ハウジングに対して近接および離反する方向へ、個別位置調整可能に、ハウジングにそれぞれ連結する連結手段とを含むことを特徴とする光ピックアップ装置である。
【００２１】
本発明に従えば、基部の３カ所が、ハウジングに対して近接および離反する方向へ、個別位置調整可能に、ハウジングにそれぞれ連結される。したがって基部の連結される３ヵ所全てをハウジングに対して近接および離反する方向に位置調整をすると、ハウジングに対して近接および離反する方向に基部を位置調整することができる。また基部の連結される３カ所を選択的に個別にハウジングに対して近接および離反する方向に位置調整をすると、基部のハウジングに対する傾きを調整することができる。
【００２２】
このように基部を、ハウジングに対して近接および離反する方向に位置調整し、かつハウジングに対する傾きを調整することができるので、基部に保持される対物レンズをハウジングに対して近接および離反する方向に位置調整し、かつハウジングに対する傾きを調整することができる。したがって変位駆動する対物レンズによって照射される光ビームを記録媒体に好適に集光させることができるので、光ピックアップ装置の読取り精度を高くすることができる。
【００２３】
また本発明は、前記連結手段は、前記レンズユニットの基部の３カ所を、ハウジングに対して近接および離反する方向と交差する方向へ、個別に位置調整可能に連結することを特徴とする。
【００２４】
本発明に従えば、基部の３カ所が、ハウジングに対して近接および離反する方向と交差する方向に個別に位置調整可能に連結される。したがって、ハウジングと連結される基部の３カ所全てを同時に、ハウジングに対して近接および離反する方向と交差する方向に位置調整することによって、基部をハウジングに対して近接および離反する方向と交差する方向に位置調整することができる。したがって基部に保持される対物レンズをハウジングに対して近接および離反する方向と交差する方向に位置調整することができる。したがって変位駆動する対物レンズによって照射される光ビームを記録媒体に好適に集光させることができるので、光ピックアップ装置の読取り精度を高くすることができる。
【００２５】
また本発明は、ハウジングおよびレンズユニットの基部のいずれか一方は、挿通孔がそれぞれ形成される３つの係止部を有し、
ハウジングおよびレンズユニットの基部のいずれか他方は、内ねじが刻設されるねじ孔がそれぞれ形成される３つのねじ孔部を有し、
連結手段は、
外ねじが刻設される軸部と、軸部の軸線方向一端部に設けられ軸部よりも外径の大きい頭部とを有する３つのねじ部材と、
ハウジングおよびレンズユニットの基部に、互いに離反する方向のばね力を与えるばね部材とを備え、
各ねじ部材は、各挿通孔に個別にそれぞれ挿通されて、頭部が係止部にそれぞれ係止され、軸部がねじ孔部に個別に螺着されることを特徴とする。
【００２６】
本発明に従えば、ハウジングおよびレンズユニットの基部のいずれか一方は、挿通孔がそれぞれ形成される３つの係止部を有し、ハウジングおよびレンズユニットの基部のいずれか他方は、内ねじが刻設されるねじ孔がそれぞれ形成される３つのねじ孔部を有し、連結手段は、外ねじが刻設される軸部と、軸部の軸線方向一端部に設けられ軸部よりも外径の大きい頭部とを有する３つのねじ部材と、ハウジングおよびレンズユニットの基部に、互いに離反する方向のばね力を与えるばね部材とを備え、各ねじ部材は、各挿通孔に個別にそれぞれ挿通されて、頭部が係止部にそれぞれ係止され、軸部がねじ孔部に個別に螺着される。したがって対物レンズをハウジングに対して近接および離反する方向に位置調整し、かつハウジングに対する傾きを調整することができるので、対物レンズによって照射される光ビームを記録媒体に好適に集光させることができる。読取り精度が高い光ピックアップ装置を具体的に実現することができる。
【００２７】
また本発明は、前記各挿通孔の内径は、各ねじ部材の山径よりも大きく、各ねじ部材は、各挿通孔に範囲方向へ変位可能に緩やかに挿通されることを特徴とする。
【００２８】
本発明に従えば、ハウジングおよびレンズユニットの基部のいずれか一方に形成される各挿通孔の内径は、各ねじ部材の山径よりも大きく、各ねじ部材は、各挿通孔に範囲方向へ変位可能に緩やかに挿通される。このように、基部に保持される対物レンズをハウジングに対して近接および離反する方向と交差する方向に位置合せすることができるので、対物レンズによって照射される光ビームを記録媒体に好適に集光させることができる。このように読取り精度が高い光ピックアップ装置を具体的に実現することができる。
【００２９】
また本発明は、各ねじ部材の頭部と各係止部との間に介在されるワッシャを、さらに含み、
前記ワッシャには、各ねじ部材の頭部および各係止部のいずれか一方に対向する表面部に、外表面が曲面状の凸部が形成されることを特徴とする。
【００３０】
本発明に従えば、各ねじ部材の頭部または各係止部は、曲面と接触する。したがって各ねじ部材の頭部または各係止部は、小さい接触面積でワッシャに接触し、かつ滑らかな面で接触する。基部をハウジングに対して近接および離反する方向と交差する方向へ変位させるときの、各ねじ部材の頭部とワッシャまたは各係止部とワッシャとの摩擦抵抗を小さくすることができる。したがって基部のハウジングに対して近接および離反する方向と交差する方向への位置調整が容易になる。
【００３１】
また本発明は、前記各ねじ部材は、少なくとも頭部が、合成樹脂によって形成されることを特徴とする。
【００３２】
本発明に従えば、前記各ねじ部材は、少なくとも頭部が、合成樹脂によって形成される。各ねじ部材の頭部が金属で形成される場合と比較して、頭部が合成樹脂によって形成されると、基部をハウジングに対して近接および離反する方向と交差する方向へ変位させるときのワッシャとの間の摩擦抵抗を小さくすることができる。したがって基部のハウジングに対して近接および離反する方向と交差する方向への位置調整が容易になる。
【００３３】
また本発明は、レンズユニットの基部がハウジングに対して位置決めされた状態で、レンズユニットの基部とハウジングとの相対変位を阻止する変位阻止手段を、さらに含むことを特徴とする。
【００３４】
本発明に従えば、変位阻止手段が、レンズユニットの基部がハウジングに対して位置決めされた状態で、レンズユニットの基部とハウジングとの相対変位を阻止する。したがって位置決めされたレンズユニットが不所望に変位することを防ぐことができる。
【００３５】
また本発明は、前記変位阻止手段は、接着材を固化させて構成されることを特徴とする。
【００３６】
本発明に従えば、接着材を固化させてレンズユニットの基部がハウジングに対して位置決めされた状態で、レンズユニットの基部とハウジングとの相対変位を阻止する。したがって、レンズユニットの位置決め後にボルトを用いてさらに相対変位を阻止する構成と比較して、レンズユニットの不所望な変位を容易に防ぐことができる。
【００３７】
また本発明は、前記光ピックアップ装置を搭載することを特徴とする情報記録再生装置である。
【００３８】
本発明に従えば、情報記録再生装置に、読取り精度の高い光ピックアップ装置が搭載されるので、情報記録再生装置の情報の記録および再生の精度を高くすることができる。
【発明の効果】
【００３９】
本発明によれば、基部を、ハウジングに対して近接および離反する方向に基部を位置調整し、かつハウジングに対する傾きを調整することができるので、基部に保持される対物レンズをハウジングに対して近接および離反する方向に位置調整し、かつハウジングに対する傾きを調整することができる。したがって、対物レンズによって照射される光ビームを記録媒体に好適に集光させることができるので、光ピックアップ装置の読取り精度を高くすることができる。
【００４０】
また本発明によれば、基部をハウジングに対して近接および離反する方向と交差する方向に位置調整することができる。したがって、基部に保持される対物レンズをハウジングに対して近接および離反する方向と交差する方向に位置合せすることができる。したがって、対物レンズによって照射される光ビームを記録媒体に好適に集光させることができるので、光ピックアップ装置の読取り精度を高くすることができる。
【００４１】
また本発明によれば、対物レンズをハウジングに対して近接および離反する方向に位置調整し、かつハウジングに対する傾きを調整することができる。このように対物レンズによって照射される光ビームを記録媒体に好適に集光させることができるので、読取り精度の高い光ピックアップ装置を具体的に実現することができる。
【００４２】
また本発明によれば、対物レンズをハウジングに対して近接および離反する方向と交差する方向に位置合せすることができる。このように対物レンズによって照射される光ビームを記録媒体に好適に集光させることができるので、読取り精度の高い光ピックアップ装置を具体的に実現することができる。
【００４３】
また本発明によれば、基部をハウジングに対して近接および離反する方向と交差する方向へ変位させるときの、各ねじ部材の頭部とワッシャまたは各係止部とワッシャとの摩擦抵抗を小さくすることができる。したがって基部のハウジングに対して近接および離反する方向と交差する方向への位置調整が容易になる。
【００４４】
また本発明によれば、基部をハウジングに対して近接および離反する方向と交差する方向へ変位させるときのワッシャとの間の摩擦抵抗を小さくすることができる。したがって基部のハウジングに対して近接および離反する方向と交差する方向への位置調整が容易になる。
【００４５】
また本発明によれば、位置決めされたレンズユニットが不所望に変位することを防ぐことができる。
【００４６】
また本発明によれば、位置決めされたレンズユニットの不所望な変位を容易に防ぐことができる。
【００４７】
また本発明によれば、情報記録再生装置の情報の記録および再生の精度を高くすることができる。
【発明を実施するための最良の形態】
【００４８】
図１は、本発明の実施の一形態の光ピックアップ装置１の断面図である。図２は、光ピックアップ装置１の正面図である。なお図１は、図２の切断面線Ｉ−Ｉから見て示す断面図である。光ピックアップ１は、情報記録媒体２に記録される情報を出力する光学ディスク装置などの情報記録再生装置に搭載される。光ピックアップ装置１は、情報記録媒体２の記録面３に記録される符号化された情報を光学的に読取り、また記録面３に符号化された情報を光学的に書込む装置である。情報記録媒体２は、たとえば円盤状であり、光ディスクおよび光磁気ディスクを含む。
【００４９】
光ピックアップ装置１は、ハウジング４と、対物レンズ５、対物レンズ５を変位可能に保持する基部６および対物レンズ５を基部６に対して変位駆動する駆動源７とを有するレンズユニット８とを含む。対物レンズ５は、発光素子から射出される光ビームを情報記録媒体２の記録面３に集光する。
【００５０】
対物レンズ５は、駆動源７によって、たとえば情報記録媒体２の半径方向に略平行な方向であるトラッキング方向Ｘに変位駆動される。トラッキング方向Ｘは、情報記録媒体２の半径方向外方に向かう方向に略平行な第１トラッキング方向Ｘ１と、情報記録媒体２の半径方向内方に向かう方向に略平行な第２トラッキング方向Ｘ２とを含む。また対物レンズ５は、駆動源７によって、たとえばフォーカス方向Ｚに変位駆動される。フォーカス方向Ｚは、トラッキング方向Ｘに略垂直な方向であり、情報記録媒体２の記録面３に近接する方向である第１フォーカス方向Ｚ１と、情報記録媒体２の記録面３に離反する方向である第２フォーカス方向Ｚ２とを含む。タンジェンシャル方向Ｙは、フォーカス方向Ｚおよびトラッキング方向Ｘに略垂直な方向であって、回転する情報記録媒体２の速度方向と同じ向きの第１タンジェンシャル方向Ｙ１と、第１タンジェンシャル方向Ｙ１とは逆向きの第２タンジェンシャル方向Ｙ２とを含む。
【００５１】
レンズユニット８は、たとえば２軸アクチュエータであって、具体的にはたとえば４ワイヤ形２軸アクチュエータによって実現される。レンズユニット８は、対物レンズ５と、フォーカス方向Ｚを厚み方向とする平板状の基部６と、基部６の厚み方向一方の表面部（以下「基部表面部」という場合がある）１３に載置される駆動源７とを含む。駆動源７は、対物レンズ５が取付けられるボビン９と４本のワイヤ１０とスペーサ１１とを含む。基部６はたとえば金属から成る。スペーサ１１は、基部６の第１タンジェンシャル方向Ｙ１下流側の基部表面部１３に載置される。スペーサ１１は、第２タンジェンシャル方向Ｇ２に開放する、フォーカス方向Ｚに垂直な断面形状が凹字状である。スペーサ１１は、第２トラッキング方向Ｘ２下流側かつ第２タンジェンシャル方向Ｙ２下流側において、タンジェンシャル方向Ｙに互いに平行にして延びる２本のワイヤ１０の一端部１２を支持する。またスペーサ１１は、第１トラッキング方向Ｘ１下流側かつ第２タンジェンシャル方向Ｙ２下流側において、タンジェンシャル方向Ｙに互いに平行にして延びる２本のワイヤ１０の一端部１２を支持する。
【００５２】
ボビン９は、ヨークとマグネットとフォーカスコイルとトラッキングコイルとを含んで構成される。ボビン９は、フォーカス方向Ｚに垂直な断面が略四角形状であって、中央部に対物レンズ取付け部３６が形成される。ボビン９の対物レンズ取付け部３６には、対物レンズ５が設けられる。ボビン９には、スペーサ１１からタンジェンシャル方向Ｙに互いに平行に延びる４本のワイヤ１０の他端部３６が機械的に接続される。ボビン９は、スペーサ１１および４本のワイヤ１０を介して基部表面部１３とは離間した状態で、トラッキング方向Ｘおよびフォーカス方向Ｚに変位可能に支持される。
【００５３】
駆動源７に電力を供給することによって対物レンズ５は、基部６に対して変位駆動される。具体的には、トラッキングコイルに電流を流すことによってトラッキング方向Ｘに対物レンズ５が変位駆動される。このときトラッキングコイルに流れる電流の向きによって変位方向を第１トラッキング方向Ｘ１および第２トラッキング方向Ｘ２との間で切換えることができる。またトラッキングコイルに印加される電圧が大きくなるとトラッキング方向Ｘにおける対物レンズ５の中立位置からの変位量が大きくなる。
【００５４】
フォーカスコイルに電流を流すことによってフォーカス方向Ｚに対物レンズ５が変位駆動される。このときフォーカスコイルに流れる電流の向きによって変位方向を第１フォーカス方向Ｚ１および第２フォーカス方向Ｚ２との間で切換えることができる。またフォーカスコイルに印加される電圧が大きくなるとフォーカス方向Ｚにおける対物レンズ５の中立位置からの変位量が大きくなる。
【００５５】
基部６は、３つのねじ孔部１４を有する。３つのねじ孔部１４には、それぞれ内ねじが刻設されるねじ孔１５が形成される。ねじ孔１５は、基部６を厚み方向に貫通する。第１ねじ孔部１４ａは、たとえば基部６の第２トラッキング方向Ｘ２の下流側であって、第１タンジェンシャル方向Ｙ１の下流側に形成される。具体的には、スペーサ１１の第２トラッキング方向Ｘ２の下流側の近傍に形成される。
【００５６】
第２ねじ孔部１４ｂは、たとえば基部６の第１トラッキング方向Ｘ１の下流側であって、第１タンジェンシャル方向Ｙ１の下流側に形成される。具体的にはスペーサ１１の第１トラッキング方向Ｘ１の下流側の近傍に形成される。このように第１ねじ孔部１４ａと第２ねじ孔部１４ｂは、スペーサ１１を挟んで基部６に形成される。第３ねじ孔部１４ｃは、基部６の第２タンジェンシャル方向Ｙ２の下流側であって、基部６の第２トラッキング方向Ｘ２の下流側に形成される。
【００５７】
ハウジング４は、フォーカス方向Ｚを厚み方向とする金属から成る略平板状である。ハウジング４の中央部には、ハウジング４の厚み方向に垂直な断面が略矩形状の空間が形成される。ハウジング４に形成された略矩形状の空間にレンズユニット８が収容される。レンズユニット８は、基部６の駆動源７が載置される基部表面部１３とは反対側の裏面部（以下「基部裏面部」ということがある）１６を第２フォーカス方向Ｚ２に向けてハウジング４に収容される。ハウジング４は、３つの係止部１７を有する。各係止部１７にはそれぞれフォーカス方向Ｚに貫通する挿通孔２７が形成される。各係止部１７は、具体的にはハウジング４のレンズユニット８に臨む３つの各側面部１８に形成される。
【００５８】
ハウジング４の各側面部１８は、レンズユニット８の第２トラッキング方向Ｘ２の下流側に配設される１８ａと、第１トラッキング方向Ｘ１の下流側に配設される第２側面部１８ｂと、第２タンジェンシャル方向Ｙ２の下流側に配設される側面部１８ｃとを含んで構成される。各係止部１７は、第１フォーカス方向Ｚ１上流側の各側面部１８の一端部（以下「側面部一端部」ということがある）１９から、レンズユニット８に向けて突出する。第１係止部１７ａは、第１側面部１８ａに形成され、第２係止部１７ｂは、第２側面部１８ｂに形成され、第３係止部１７ｃは、第３側面部１８ｃに形成される。
【００５９】
各係止部１７には、各係止部１７をハウジング４の厚み方向に貫通する挿通孔２７がそれぞれ形成される。各係止部１７には、第２フォーカス方向下流側に、挿通孔２７の半径方向内方に全周にわたって突出する段差部２０が形成される。このように挿通孔２７は、挿通孔２７の軸線に平行な断面が略凸字状の形状となっている。具体的には、段差部２０は、挿通孔２７の第２フォーカス方向Ｚ２下流側の開口の近傍に形成される。
【００６０】
基部６のねじ孔部１４は、連結手段によってハウジング４に連結される。連結手段は、たとえば３つのねじ部材２１と、３つのばね部材２２とを含む。各ねじ部材２１は、外ねじが刻設される軸部２３と、軸部２３の軸線方向一端部（以下「ねじ一端部」ということがある）２４に設けられる軸部２３の山径ｄ１よりも外径ｄ２の大きい頭部２５を有する。各ねじ部材２１は、各挿通孔２７に個別にそれぞれ挿通され、軸部２３がねじ孔部１４に個別に螺着される。
【００６１】
第１ねじ部材２１ａは、第１係止部１７ａの挿通孔２７に挿通され第１ねじ孔部１４ａのねじ孔１５に螺着される。第２ねじ部材２１ｂは、第２係止部１７ｂの挿通孔２７に挿通され第２ねじ孔部１４ｂのねじ孔１５に螺着される。第３ねじ部材２１ｃは、第３係止部１７ｃの挿通孔２７に挿通され第３ねじ孔部１４ｃのねじ孔１５に螺着される。
【００６２】
各ねじ部材２１は、軸部２３の他端部（以下「ねじ他端部」ということがある）２６が各挿通孔２７の第２フォーカス方向Ｚ２の下流側の開口からそれぞれ挿通される。各挿通孔２７の内径ｄ３は、各ねじ部材２１の山径ｄ１よりも大きく、各ねじ部材２１は、各挿通孔２７に範囲方向に変位可能に緩やかに挿通される。
【００６３】
各ねじ部材の頭部２５は、ワッシャ２９を介して段差部２０の第１フォーカス方向Ｚ２下流側側の表面部（以下「段差部表面部」ということがある）２８に当接する。ワッシャ２９には、各ねじ部材２１の頭部２５に対向する表面部（以下「ワッシャ表面部」ということがある）３２に外表面が曲面上の凸部３１が形成される。ワッシャ２９は、係止部１７の段差部２０に嵌り込むように係止部１７に設けられる。各ねじ部材２１は、少なくとも頭部２５が合成樹脂によって形成される。具体的には各ねじ部材は、合成樹脂によって形成される。またワッシャ２９は、たとえば合成樹脂によって形成される。
【００６４】
各ばね部材２２は、ハウジング４およびレンズユニット８の基部６に互いに離反する方向のばね力を与える。ばね部材２２は、たとえば圧縮コイルばねによって実現される。各ばね部材２２は、一端部（以下「ばね一端部」ということがある）３０が段差部２０の第１フォーカス方向Ｘ１の下流側の表面部（以下「段差部裏面部」ということがある）３３に係止されるように各挿通孔２７に設けられる。各ばね部材２２の他端部（以下「ばね他端部」ということがある）３４は、基部６の基部裏面部１６に当接する。ばね部材２２は、各ねじ部材２１が各ねじ孔部のねじ孔１５に螺進して、基部６と各係止部１７の段差部２０との間で圧縮されることによって、ハウジング４および基部６に互いに離反する方向のばね力を付勢する。
【００６５】
ハウジング４の各側面部１８とレンズユニット８の基部６の間には、基部６がハウジング４に対して位置決めされた状態で定着させる接着材３５が設けられる。接着材３５は、たとえば基部６の四隅近傍とハウジング４の各側面部１８との間に設けられる。基部６のハウジン４に対する位置決めは、具体的には各ねじ部材２１を個別に各ねじ孔部１４の各ねじ孔１５に螺進または螺退させることによって、基部６のハウジング４に対する傾き角を調整する。また各ねじ部材２１を同量だけ各ねじ孔部１４の各ねじ孔１５に螺進または螺退させることによって、基部６のハウジング４に対するフォーカス方向Ｚの位置を調整する。また各ねじ部材２１を同時にハウジング４の厚み方向に垂直な平面内で変位させることによって、基部６をハウジング４対してフォーカス方向Ｚに垂直な平面内で変位させる。
【００６６】
このように、レンズユニット８の基部６がハウジング４に対して位置決めされた状態で、ハウジング４の各側面部１８とレンズユニット８の基部の間に、接着材３５を充填して接着材３５を固化させる。接着材３５は、エポキシ系接着材または紫外線硬化接着材を用いることができる。
【００６７】
図３は、ワッシャ２９を詳細に示す図である。図３（ａ）は、ワッシャ２９をの正面図である。図３（ｂ）は、ワッシャ２９の側面図である。ワッシャ２９は、環状であって、厚み方向に貫通する透孔が形成される。ワッシャ２９には、ワッシャ表面部３２から突出する外表面が曲面状の凸部３１が形成される。具体的には、ワッシャ２９の周方向に等間隔に４つの凸部３１が形成される。また凸部３１は、具体的には半球形状に形成される。
【００６８】
ワッシャ２９の外径ｄ４は、たとえば各ねじ部材２１の頭部２５の外径ｄ２よりも小さく形成される。ワッシャ２９の内径ｄ５は、たとえば各ねじ部材２１の山径ｄ１よりも大きく形成される。
【００６９】
図４は、図２の切断面線Ｉ−Ｉから見た光ピックアップ装置１を分解して示す断面図である。図５は、図２の切断面線Ｖ−Ｖから見た光ピックアップ装置１を分解して示す断面図である。ハウジング４の各係止部１７に形成された挿通孔２７にばね部材２２のばね一端部３０が段差部２０の段差部裏面部３３に係止されるように、挿通孔２７の第２フォーカス方向Ｚ１の下流側の開口から挿入される。ばね部材２２のコイル外径ｄ６は、たとえば挿通孔２７の内径ｄ３と略同一に形成される。ばね部材２２のコイル内径ｄ７は、挿通孔２７の段差部２０における内径ｄ８よりも大きくまたは略同一に形成される。ばね部材２２の無荷重状態の両端部間の長さｔ１は、段差部２０の段差部裏面部３３から挿通孔２７のフォース方向Ｚ１下流側の開口までの距離ｔ２よりも大きく形成される。
【００７０】
レンズユニット８は、基部６の基部裏面部１６が各係止部１７の挿通孔２７の第１フォーカス方向Ｚ１の下流側の開口に対向するようにハウジング４の矩形状の空間に収容される。このとき基部６の各ねじ孔部１４に形成されたねじ孔１５が各係止部１７に形成された挿通孔２７に対向するようにする。具体的には、第１ねじ孔部１４ａのねじ孔１５が第１係止部１７ａの挿通孔２７と対向し、第２ねじ孔部１４ｂのねじ孔１５が第２係止部１７ｂの挿通孔２７と対向し、第３ねじ孔部１４ｃのねじ孔１５が第３係止部１７ｃの挿通孔２７と対向するように、レンズユニット８をハウジング４に収容する。
【００７１】
ワッシャ２９を各係止部１７の挿通孔２７の第２フォーカス方向Ｚ２の下流側の開口から、ワッシャ２９のワッシャ裏面部３８が段差部２０の段差部表面部２８に係止されるように設ける。ワッシャ２９の内径ｄ５は、段差部２０における挿通孔２７の内径ｄ８と略同一に形成される。ワッシャ２９の凸部３１の頂点からワッシャ裏面部３８までの長さｔ３は、挿通孔２７の第２フォーカス方向Ｚ２下流側の開口から段差部２０の表面部２８までの長さｔ４より長い。
【００７２】
挿通孔２７の第２フォーカス方向Ｚ２下流側の開口から段差部表面部２８までの間の挿通孔２７の内径ｄ９は、段差部２０から見て第１フォーカス方向下流側の挿通孔２７の内径ｄ３よりも大きい。またワッシャ２９の外径ｄ４は、挿通孔２７の第２フォーカス方向Ｚ２下流側の開口から段差部表面部２８までの間の挿通孔２７の内径ｄ９とは略同一である。
【００７３】
各ねじ部材２１は、軸部２３のねじ他端部２６が挿通孔２７の第１フォーカス方向Ｚ１上流側の開口からワッシャ２９の透孔、各係止部１７の挿通孔２７およびばね部材２２に挿通されて、軸部２３が基部６の各ねじ孔部１４のねじ孔１５に螺着される。各ねじ部材２１の山径ｄ１は、ばね部材２２のコイル内径ｄ７よりも小さく形成される。各ねじ部材２１の山径ｄ１は、挿通孔２７の段差部２０における内径ｄ８よりも小さく形成される。ねじ部材２１の頭部２５の外径ｄ２は、挿通孔２７の内径ｄ３よりも大きくかつワッシャ２９の外径ｄ４よりも大きく形成される。
【００７４】
ばね部材２２の無荷重状態の両端部間の長さｔ１は、段差部２０の段差部裏面部３３から挿通孔２７のフォース方向Ｚ１下流側の開口までの距離ｔ２よりも大きく形成されるので、ハウジング４および基部６を互いにフォーカス方向Ｚに離反するようにばね力を与える。このばね力が与えられた状態で各ねじ部材２１が基部６の各ねじ孔部１４に螺着される。各ねじ部材２１を螺進させることによって、ハウジング４に基部６のねじ孔部１４をフォーカス方向Ｚにおいて近接させる方向に個別に位置調整させることができる。また各ねじ部材２１を螺退させることによって、ハウジング４に基部６のねじ孔部１４をフォーカス方向Ｚにおいて離反させる方向に個別に位置調整させることができる。このように基部６の３つの各ねじ孔部１４が個別に位置調整されることによって、基部６のハウジング４に対する傾きを調整することができる。
【００７５】
また各ねじ部材２１を同量螺進させることによって、基部６の３つのねじ孔部１４がフォーカス方向Ｚにおいて同じ距離だけハウジング４に近接する方向に位置調整される。各ねじ部材２１を同量螺退させることによって、基部６の３つのねじ孔部１４がフォーカス方向Ｚにおいて同じ距離だけハウジング４から離反する方向に位置調整される。このように３つのねじ孔部１４が同じ距離だけハウジング４に近接または離反する方向に位置調整されることによって、ハウジング４での基部６のフォーカス方向Ｚの位置調整することができる。
【００７６】
さらに各ねじ部材２１の山径ｄ１は、挿通孔２７の段差部２０における内径ｄ８よりも小さく、各ねじ部材２１の頭部２５の外径ｄ２は、ワッシャ２９の外径ｄ４よりも大きい。したがって、ねじ部材２１は、各挿通孔２７の段差部２０の内径ｄ８の範囲内で、ハウジングに対して近接および離反する方向と交差する方向へ、すなわちトラッキング方向Ｘおよびタンジェンシャル方向Ｙを含む平面内（以下「Ｘ−Ｙ平面内」ということがある）で変位可能である。各ねじ部材２１を基部６の各ねじ孔部１４のねじ孔１５に螺着させた状態でＸ−Ｙ平面内で変位させることによって、基部６をハウジング４に対してＸ−Ｙ平面内で位置調整することができる。
【００７７】
本実施形態の光ピックアップ装置１によれば、基部６のハウジング４に対する傾きを調整することができる。したがって基部６に保持される対物レンズ５の情報記録媒体２の記録面３に対する傾きを調整（以下「姿勢調整」ということがある）することができる。またハウジング４での基部６のフォーカス方向Ｚの位置調整することができる。したがって基部６に保持される対物レンズ５のフォーカス方向Ｚにおける位置調整をすることができる。具体的には、情報記録媒体２の記録面３に近接および離反する方向に位置調整することができる。さらに基部６をハウジング４に対してＸ−Ｙ平面内で位置調整することができる。したがって基部６に保持される対物レンズ５のＸ−Ｙ平面内での位置調整をすることができる。
【００７８】
このように対物レンズ５の姿勢調整およびフォーカス方向およびＸ−Ｙ平面内での位置調整をすることができるので、ハウジング４に対する予め定める基準位置に対物レンズ５の位置を調整することができる。したがって駆動源１１８によって、変位駆動される対物レンズ５によって光ビームを情報記録媒体２の記録面３に好適に集光させることができ、光ピックアップ装置１の読取り精度を高くすることができる。
【００７９】
具体的にはＸ−Ｙ平面内での対物レンズ５の位置調整によって、対物レンズ５の光軸を位置調整することによって、対物レンズによって集光される光ビームの対物出射の収差を小さくすることによって、読取り精度を高くすることができる。
【００８０】
また対物レンズ５のフォーカス方向Ｚにおける位置調整をすることができるので、情報記録媒体２の記録面３に対して対物レンズ５をフォーカス方向に変位駆動するときの変位量を小さくして好適に記録面３に光ビームを集光させることができる。したがってフォーカスコイルに印加される電圧を小さくすることができるので、光ピックアップ装置１を省電力化することができる。
【００８１】
本実施形態の光ピックアップ装置１によれば、各ねじ部材２１の頭部２５は、曲面と接触する。したがって各ねじ部材２１の頭部２５は、小さい接触面積でワッシャ２９に接触し、かつ滑らかな面で接触する。基部６をハウジングに対して近接および離反する方向と交差する方向へ変位させるときの、各ねじ部材２１の頭部２５とワッシャ２９との摩擦抵抗を小さくすることができる。したがって基部６のハウジング４に対するＸ−Ｙ平面内での位置調整が容易になる。
【００８２】
本実施形態の光ピックアップ装置１によれば、各ねじ部材２１は、少なくとも頭部２５が、合成樹脂によって形成される。各ねじ部材２１の頭部２５が金属で形成される場合と比較して、頭部２５が合成樹脂によって形成されると、基部６をハウジングに対して近接および離反する方向と交差する方向へ変位させるときのワッシャ２９との間の摩擦抵抗を小さくすることができる。したがって基部６のハウジング４に対するＸ−Ｙ平面内での位置調整が容易になる。
【００８３】
さらにワッシャ２９が樹脂によって形成されるので、ワッシャ２９が金属によって形成される場合と比較して、基部６のハウジング４に対するＸ−Ｙ平面内での位置調整するときのねじ部材２１とワッシャ２９との間の摩擦抵抗を小さくすることができる。したがって基部６のハウジング４に対するＸ−Ｙ平面内での位置調整が容易になる。
【００８４】
本実施形態の光ピックアップ装置１によれば、基部６を連結手段によってハウジング４に連結し、接着材３５を固化させてレンズユニット８の基部６がハウジング４に対して位置決めされた状態で、レンズユニット８の基部６とハウジング４との相対変位を阻止する。したがって対物レンズ５の姿勢が不所望にずれることを防ぐことができ、光ピックアップ装置１の信頼性を向上させることができる。またレンズユニット８の位置決め後にボルトなどを用いてさらに相対変位を阻止する構成と比較して、レンズユニット８の不所望な変位を容易に防ぐことができる。
【００８５】
またワッシャ２９の凸部３１がワッシャ２９の周方向に均等に間隔をあけて４つ形成されるので、基部６のハウジング４に対するＸ−Ｙ平面内での位置調整するときに、ねじ部材の頭部２５がワッシャ２９の少なくとも３つの凸部３１と当接する。したがってねじ部材２１の頭部２５がハウジング４に対して傾くことを防ぐことができるので、基部６のハウジング４に対する傾きおよびハウジング４に対するＸ−Ｙ平面内での位置調整の作業時に不所望に基部６がハウジング４に対して傾くことを防ぐことができる。したがって対物レンズ５の姿勢およびフォーカス方向の位置を正確に調整することができるとともに、容易に調整することができる。
【００８６】
また挿通孔２７の第２フォーカス方向Ｚ２下流側の開口から段差部表面部２８までの間の挿通孔２７の内径ｄ９は、段差部２０から見て第１フォーカス方向下流側の挿通孔２７の内径ｄ２よりも大きい。またワッシャ２９の外径ｄ４は、挿通孔２７の第２フォーカス方向Ｚ２下流側の開口から段差部表面部２８までの間の挿通孔２７の内径ｄ９と略同一である。したがって各ねじ部材２１を螺進させるときに段差部２０に加えられる力は、段差部２０の係止部１７から突出している部分よりも半径方向外方の係止部１７に付勢される。したがって作業者がねじ部材２１を螺進させたときに不所望に段差部２０がフォーカス方向下流側に折れ曲がるように変形することを防ぐことができる。
【００８７】
またワッシャ２９の凸部３１の頂点からワッシャ裏面部３８までの長さｔ３は、挿通孔２７の第２フォーカス方向Ｚ２下流側の開口から段差部２０の表面部２８までの長さｔ４より長い。したがって、各ねじ部材２１をＸ−Ｙ平面内で変位させた場合に、各ねじ部材２１の頭部がハウジング４と直接当接することを防ぐことができる。
【００８８】
また各ねじ部材２１は、合成樹脂によって形成されので、ねじ部材が金属によって形成される場合と比較して可撓性を有する。したがって基部６のハウジング４に対する傾きを調整するときに軸部２３が撓むので、容易に傾き調整することができ、かつ各ねじ孔部１４のねじ孔１５の内ねじがつぶるれことを防ぐことができる。
【００８９】
本発明の実施の他の形態として、基部６に挿通孔２７がそれぞれ形成される３つの係止部１７が形成され、ハウジング４に、内ねじが刻設されるねじ孔１５がそれぞれ形成される３つのねじ孔部１４を形成され、各ねじ部材２１が、各挿通孔２７に個別にそれぞれ挿通されて、頭部２５が係止部１７にそれぞれ係止され、軸部２３がねじ孔部１４に個別に螺着される構成であってもよい。このように光ピックアップ装置１を構成しても前述の光ピックアップ装置１と同様に、光ピックアップ装置１の読取り精度を高くすることができる。
【００９０】
本発明の実施のさらに他の形態として、ワッシャ２９に、係止部１７に対向する表面部に、外表面が曲面状の凸部３１が形成される構成であってもよい。このように光ピックアップ装置１を構成しても前述の光ピックアップ装置１と同様に、基部６のハウジング４に対するＸ−Ｙ平面内での位置調整が容易になる。
【００９１】
本発明の実施のさらに他の形態として、係止部１７とねじ部材２１の頭部２５との間にワッシャを設けるかわりに、係止部１７およびねじ部材２１の互いに対向する表面部のいずれか一方に外表面が曲面の凸部３１を形成する構成であってもよい。また係止部１７のねじ部材の頭部２５と対向する表面部をたとえば合成樹脂で形成してもよい。このように光ピックアップ装置１を構成しても前述の光ピックアップ装置１と同様に、基部６のハウジング４に対するＸ−Ｙ平面内での位置調整が容易になる。
【図面の簡単な説明】
【００９２】
【図１】本発明の実施の一形態の光ピックアップ装置１の断面図である。
【図２】光ピックアップ装置１の正面図である。
【図３】ワッシャ２９を詳細に示す図である。
【図４】図２の切断面線Ｉ−Ｉから見た光ピックアップ装置１を分解して示す断面図である。
【図５】図２の切断面線Ｖ−Ｖから見た光ピックアップ装置１を分解して示す断面図である。
【図６】従来の光ピックアップ装置１０１の正面図である。
【図７】他の従来の光ピックアップ装置１０１Ａを示す正面図である。
【図８】光ピックアップ装置１０１Ａの連結構造を示す断面図である。
【図９】光ピックアップ装置１０１Ａの連結構造を示す断面図である。
【符号の説明】
【００９３】
１  光ピックアップ装置
４  ハウジング
５  対物レンズ
６  基部
７  駆動源
８  レンズユニット
１４  ねじ孔部
１５  ねじ孔
１７  係止部
２１  ねじ部材
２２  ばね部材
２３  軸部
２５  頭部
２７  挿通孔
２９  ワッシャ
３１  凸部
３５  接着材
【図１】
2007004848.tif 000003
【図２】
2007004848.tif 000004
【図３】
2007004848.tif 000005
【図４】
2007004848.tif 000006
【図５】
2007004848.tif 000007
【図６】
2007004848.tif 000008
【図７】
2007004848.tif 000009
【図８】
2007004848.tif 000010
【図９】
2007004848.tif 000011